(57)【要約】【課題】撮影装置を使用する場合や撮影装置を収容する場合のどちらの場合においても若干かさばるように感じられたり、邪魔になるように感じられたりすることのない収容ケースを提供する。【解決手段】２枚の可撓性部材１０，１１それぞれの端部１０ａ，１１ａを撮影装置２の一側面に取り付けておいて、一方を撮影装置２前面を通して撮影装置のボディに巻きつけ、他方を撮影装置２背面を通して撮影装置のボディに巻きつけた後、双方の端部同士を接着により止着すると撮影装置２を収容する収容ケース１になる。この収容ケース１から撮影装置２を取り出した状態では、収容ケース１が撮影装置の一側面に巻回されてこの撮影装置のグリップとして作用する。【選択図】図１
2007101956.tif 000002
【特許請求の範囲】
【請求項１】
被写体像を結像して画像信号を生成する撮影装置を収容する可撓性の収容ケースであって、
この収容ケースから撮影装置を取り出した状態では、該収容ケースは、該撮影装置の一側面に巻回されてこの撮影装置のグリップとして作用するものであることを特徴とする収容ケース。
【請求項２】
被写体像を結像して画像信号を生成する撮影装置を収容する可撓性の収容ケースであって、
この収容ケースから撮影装置を取り出した状態では、該収容ケースは、該撮影装置のストラップとして作用するものであることを特徴とする収容ケース。
【請求項３】
被写体像を結像して画像信号を生成する撮影装置を収容する可撓性の収容ケースであって、
三脚用の脚を備え、この収容ケースから撮影装置を取り出した状態では、該収容ケースは、該撮影装置の三脚として作用するものであることを特徴とする収容ケース。
【発明の詳細な説明】
【技術分野】
【０００１】
本発明は、撮影装置を収容する収容ケースに関する。
【背景技術】
【０００２】
ユーザが撮影装置を携帯するときには撮影装置を収容ケースに入れてから携帯するようにして、撮影装置をどこかにぶつけたり、撮影装置を落としたりしても壊れないようにしている。
【０００３】
このような収容ケースにあっては、未使用時において撮影装置を収容するだけでなく、使用時にその収容ケースを別の機能部品として作用させることによってユーザに使い勝手を提供しようというものが多い（例えば特許文献１〜４参照）。
【０００４】
特許文献１〜特許文献４記載のものにおいては、ケースを比較的堅い材質のもので製作するとある程度形態が安定するということを用いて収容ケースをグリップとして作用させたり、三脚として作用させたりしている。
【０００５】
しかし、収容ケースにあまり堅い材質のものを用いると、どうしても収容ケースの大きさが大きくなってしまうため、撮影装置を使用する場合や撮影装置を収容する場合のどちらの場合においても若干かさばるように感じられたり、邪魔になるように感じられたりすることがある。
【０００６】
このようなことを避けるために収容ケースではないが、比較的柔らかい材質でできているストラップに保護カバーとしての機能を持たせようとしているものがある（例えば特許文献５参照）。
【０００７】
しかしながらこの特許文献５では、ストラップが主な機能であり、そのストラップに保護カバーとしての機能も持たせようとするものであって、収容ケースとしての機能を持たせようというものではない。
【特許文献１】特開２００４−３０９８８９号公報
【特許文献２】特開２００５−２０８２１８号公報
【特許文献３】特開２００３−１５６７９４号公報
【特許文献４】特開平１０−１２３５９９号公報
【特許文献５】特開２００１−１４２１３７号公報
【発明の開示】
【発明が解決しようとする課題】
【０００８】
本発明は、上記事情に鑑み、撮影装置を使用する場合や撮影装置を収容する場合のどちらの場合においてもかさばるように感じられたり、邪魔になるように感じられたりすることのない収容ケースを提供することを目的とする。
【課題を解決するための手段】
【０００９】
上記目的を達成する本発明の第１の収容ケースは、被写体像を結像して画像信号を生成する撮影装置を収容する、可撓性の収容ケースであって、
この収容ケースから撮影装置を取り出した状態では、その収容ケースは、その撮影装置の一側面に巻回されてこの撮影装置のグリップとして作用するものであることを特徴とする。
【００１０】
上記本発明の第１の収容ケースによれば、この第１の収容ケースに収容された状態にある撮影装置が、この第１の収容ケースから取り出された状態になったときには、この第１の収容ケースが可撓性を持つものであることが活用され上記撮影装置の一側面側に巻回されてこの撮影装置のグリップとして作用する。
【００１１】
そうすると、この第１の収容ケースが可撓性のものであることを用いて、収納時にはカメラボディにフィットする収容ケースとして作用しその収容ケースから撮影装置が取り出された状態においてはグリップとして作用する収容ケースが得られる。
【００１２】
このように上記第１の収容ケースに可撓性があることが活用されると、撮影装置を使用する場合や撮影装置を収容する場合のどちらの場合においてもかさばるように感じられたり、邪魔になるように感じられたりすることのない収容ケースが実現する。
【００１３】
上記目的を達成する本発明の第２の収容ケースは、被写体像を結像して画像信号を生成する撮影装置を収容する、可撓性の収容ケースであって、
この収容ケースから撮影装置を取り出した状態では、その収容ケースは、その撮影装置のストラップとして作用するものであることを特徴とする。
【００１４】
上記本発明の第２の収容ケースによれば、この第２の収容ケースに収容された状態にある撮影装置が、この第１の収容ケースから取り出された状態になったときには、この第２の収容ケースが可撓性を持つものであることが活用され上記撮影装置のストラップとして作用する。
【００１５】
そうすると、この第２の収容ケースが可撓性を持つものであることを用いて、収納時にはカメラボディにフィットする収容ケースとして作用しその収容ケースから撮影装置が取り出された状態ではストラップとして作用する収容ケースが得られる。
【００１６】
このように収容ケースが可撓性を持つものであることを活用すると、撮影装置を使用する場合や撮影装置を収容する場合のどちらの場合においてもかさばるように感じられたり、邪魔になるように感じられたりすることのない収容ケースが実現する。
【００１７】
上記目的を達成する本発明の第３の収容ケースは、被写体像を結像して画像信号を生成する撮影装置を収容する、可撓性の収容ケースであって、
三脚用の脚を備え、この収容ケースから撮影装置を取り出した状態では、その収容ケースは、その撮影装置の三脚として作用するものであることを特徴とする。
【００１８】
上記本発明の第３の収容ケースによれば、この第３の収容ケースに収容された状態にある撮影装置が、この第３の収容ケースから取り出された状態になったときには、この第３の収容ケースが可撓性を持つものであることが活用され上記撮影装置の三脚として作用する。
【００１９】
そうすると、この第３の収容ケースが可撓性を持つものであることを用いて、収納時にはカメラボディにフィットする収容ケースとして作用しその収容ケースから撮影装置が取り出された状態では三脚として作用する収容ケースが得られる。
【００２０】
このように上記第３の収容ケースが可撓性を持つものであることを活用すると、撮影装置を使用する場合や撮影装置を収容する場合のどちらの場合においてもかさばるように感じられたり、邪魔になるように感じられたりすることのない収容ケースが実現する。
【発明の効果】
【００２１】
以上、説明したように、撮影装置を使用する場合や撮影装置を収容する場合のどちらの場合においてもかさばるように感じられたり、邪魔になるように感じられたりすることのない収容ケースが実現する。
【発明を実施するための最良の形態】
【００２２】
以下、本発明の実施の形態について説明する。
【００２３】
図１は本発明の第一実施形態である収容ケースの構成を説明する図である。
【００２４】
図１（ａ）には未使用時に撮影装置が収容ケース１に収容された状態が示されている。
また図１（ｂ）には、図１（ａ）の撮影装置２の左側面部にある取付部の構造の詳細が示されている。また図１（ｃ）には、図１に示す収容ケース１から撮影装置２が取り出された状態にあるときに可撓性のある収容ケース１が巻回されて一側面側に収容ケース１によりグリップが形成されたときの外観が示されている。さらに図１（ｄ）には図１（ｃ）に示す撮影装置を背面斜め後方から見た図が示されている。
【００２５】
図１（ａ）〜図１（ｄ）を参照して収容ケース１の構成を簡単に説明する。
【００２６】
図１（ｃ），図１（ｄ）に示すように撮影装置２のカメラボディ前面側には撮影レンズ２１が配備されており、背面側には表示画面２２が配備されている。この撮影装置２が収容ケース１に収容されると、図１（ａ）に示すようにこれらの部材とともにカメラボディが収容ケース１によって保護される。
【００２７】
この収容ケース１は、２枚の可撓性部材１０，１１で構成されたものであって、それら２枚の可撓性部材１０，１１それぞれが撮影装置２のカメラボディに巻き付けられることによって撮影装置２が収容される。この例では撮影装置２の一側面側にある取付部（コの字型の取っ手）２３に２枚の可撓性部材１０，１１の端部１０ｂ，１１ｂ各々を括り付けて他方側の端部を巻き付け自在にした構成のものが示されており、双方の可撓性部材１０，１１の他方側の端部１０ａ，１１ａそれぞれが接着により止着されると収容ケースになる場合の例が示されている。
【００２８】
このような構成を持つ収容ケース１の作用および効果を説明する。
【００２９】
図１（ａ）〜（ｄ）に示すように２枚の可撓性部材１０，１１の端部１０ｂ，１１ｂそれぞれは撮影装置２のレリーズボタン２０が配備されている側の側面に取り付けられているため、収容ケース１から撮影装置２が取り出された状態においては、図１（ｃ），図１（ｄ）に示すようにグリップとして作用させることができる。
【００３０】
このように可撓性のある収容ケース１が撮影装置が取り出された状態ではグリップとして作用すると、この撮影装置２により撮影が行なわれるときにはグリップが持ち易くなって撮影時の姿勢が安定するという効果が得られる。
【００３１】
また、撮影時においてはグリップとして作用していた収容ケース１が、撮影終了後には撮影装置のカメラボディに巻き付けられて図１（ａ）に示す収容状態になる。そうすると、今度は収容ケースを構成する可撓性部材１０，１１それぞれが撮影装置２のカメラボディにフィットする様に巻き付けられて収容ケースになる。
【００３２】
このときには撮影装置にフィットする様に巻き付けられることによりスリムな収容ケースになるとともにこの収容ケースを携帯したユーザに可撓性によって柔らかさを感じさせることができる収容ケースにもなって、いままでのようにかさばるであるとか邪魔になるであるとかという感触をユーザに感じさせることがなくなる。
【００３３】
以上説明したように撮影装置を使用する場合や撮影装置を収容する場合のどちらの場合においてもかさばるように感じられたり、邪魔になるように感じられたりすることのない収容ケースが実現する。
【００３４】
図２は、本発明の第二実施形態である収容ケース３の構成を説明する図である。
【００３５】
図２（ａ）には未使用時に撮影装置４が収容ケース３に収容された状態が示されている。図２（ｂ）には、図２（ａ）の撮影装置４の右側面部にある取付部４３の構造の詳細が示されている。図２（ｃ）には、収容ケース３から撮影装置４が取り出された状態にあるときに可撓性のある収容ケース３がストラップとして作用する場合の状態が示されている。  図２（ａ）〜図２（ｃ）を参照して収容ケース３の構成を簡単に説明する。
【００３６】
第１の実施形態と同様に図２（ａ）に示すように撮影装置４は収容ケース３に収容される。
【００３７】
この収容ケース３は、可撓性部材３０で構成されたものであって、その可撓性部材３０が撮影装置４のカメラボディの前後面それぞれに巻きつけられることにより撮影装置４が収容される。この例では撮影装置４の一側面側にある取付部（コの字型の取っ手）４３に可撓性部材３０の端部３０ｂを括り付けて他方側の端部を巻き付け自在にした構成の収容ケース３が示されており、さらに可撓性部材３０が撮影装置４のボディに巻きつけられた後、その端部が接着部３５により可撓性部材表面に貼付されると図１（ａ）に示す収容ケース３になる場合の例が示されている。ここでは、収容ケースとしての機能を高めるために図２（ｂ）に示すように可撓性部材３０の中央に折畳み自在のマジックテープ（登録商標）３１，３２を設けて図２（ａ）に示す収容時にあってはそれらのマジックテープ（登録商標）３１，３２を背面側から前面に渡して前面側でそれらのマジックテープ（登録商標）３１，３２の一端を収容ケース表面に貼り付けるようにしてある。
【００３８】
このような構成を持つ収容ケース３の作用および効果を説明する。
【００３９】
図２（ａ）〜（ｃ）に示すように撮影装置４が可撓性部材３０で構成される収容ケース３から撮影装置４が取り出された状態では、図２（ｃ）に示すようにストラップとして作用する。
【００４０】
このようにこの可撓性を持つ収容ケース３がストラップとして作用するようになると、ユーザがわざわざストラップをこの撮影装置４に取る付けるようなことを行なわなくても収容ケース３から撮影装置４を取り出すという簡単な操作を行なうだけで携帯し易いストラップが形成されるという効果が得られるようになる。
【００４１】
また、撮影装置４を収容ケース１に収容するときには、可撓性部材３０を撮影装置４のカメラボディに巻き付けて接着部３５およびマジックテープ（登録商標）３１，３２さらに接着部３３，３４を各接着するという簡単な操作を行なうだけで図２（ａ）に示す収容状態にすることができる。この収容状態においては可撓性部材３０が撮影装置４のカメラボディにピタッとフィットする様になるとともに携帯したときには可撓性部材の表面がいままでの堅い材質に比べるとユーザには柔らかく感じられる様にもなるので、いままでにようにかさばるように感じられたり、邪魔になるように感じられたりするようなことがなくなる。
【００４２】
図３は本発明の第三実施形態である収容ケースの構成を説明する図である。
【００４３】
図３（ａ）には未使用時に撮影装置６が収容ケース５に収容された状態が示されている。図３（ｂ）には、使用時に収容ケース５が三脚として作用している状態が示されている。図３（ｃ）には、図３（ｂ）を上方から見た上面図が示されている。
【００４４】
図３（ａ）に示すこの収容ケース５は、２枚の可撓性部材５０，５１で構成されている。これらの可撓性部材５０，５１を撮影装置６が収容ケース５から取り出された状態においては三脚として作用させるために、一方の可撓性部材５０には１本の脚５００が埋め込まれ他方の可撓性部材５１には２本の脚５１０，５１１が埋め込まれている。
【００４５】
これらの脚５００，５１０，５１１はスライド自在に埋め込まれていて、三脚として作用させるときには各々引っ張り出されて用いられるようになっている。
【００４６】
また収容ケースとして用いられる場合には、3本の脚それぞれが可撓性部材内に押し込まれた後、図３（ａ）に示すように１本の脚５００が埋め込まれた方の可撓性部材５０が撮影装置前面側を覆うようにして撮影装置６の背面側にまで巻き付けられ、その端部が２本の脚が埋め込まれた方の可撓性部材５１の表面に接着により止着されることにより収容ケースが構成されるようになっている。
【００４７】
このような構成を持つ収容ケース５の作用および効果を説明する。
【００４８】
図３（ａ）に示す２枚の可撓性部材５０，５１それぞれは、収容ケース１から撮影装置２が取り出された状態では、図３（ｂ），図３（ｃ）に示すように３本の脚５００，５１０，５１１が三脚として作用するようになっている。また、本実施形態においては、可撓性部材５１の両端部に２本の脚５１０，５１１を埋め込むようにして両端外方へ可撓性部材５１を引き伸ばして用いることができるようにして三脚としての機能を高めるようにもしている。
【００４９】
このように収容ケース５が三脚として作用するようになると、収容ケースに収容だけでなく三脚としての機能が与えられ、収容ケースという一つの部材が２つの機能を持つ部材として機能するようになる。
【００５０】
さらにこのように収容ケースが三脚として作用するようになると、セルフ撮影や集合撮影等を簡単に行なうことができるようになるという効果も得られる。
【図面の簡単な説明】
【００５１】
【図１】本発明の第一実施形態である収容ケースの構成を説明する図である。
【図２】本発明の第二実施形態である収容ケースの構成を説明する図である。
【図３】本発明の第三実施形態である収容ケースの構成を説明する図である。
【符号の説明】
【００５２】
１  ３  ５    収容ケース
１０  １１  ３０  ５０  ５１  可撓性部材
１０ａ  １１ａ    取付部に共通的に取り付けられる端部
１０ｂ  １１ｂ    上記端部とは反対側の端部
２  ４  ６  撮影装置
２３  ４３    取付部
５００  ５１０  ５１１  脚
【図１】
2007101956.tif 000003
【図２】
2007101956.tif 000004
【図３】
2007101956.tif 000005